【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
結合材によって一体的に保持される総数が少なくとも２つの乾燥した繊維組織層（Ｌｉ、Ｌａ）及びプレプレグ層（Ｌｉ、Ｌａ）のうち少なくともいずれか一方を備えた積層板（４０）からＦＣパリソンを製造する方法であって、
積層板（４０）の第１の端部区域（４４）を、機械的歯車装置を使用して寸法合わせ部（２０）に対して移動自在な第１の挟持装置（１６）に固定し、且つ第１の端部区域とは反対側に位置される積層板（４０）の第２の端部区域（４４）を別の挟持装置（１７）に固定する工程において、第１の挟持装置（１６）は別の挟持装置（１７）から見て寸法合わせ部（４０）の丸みを帯びた表面領域（５８、５９）の別の面に位置される固定工程と、
挟持装置間に位置される積層板（４０）の領域にわたって引張応力（Ｆ）を第１の挟持装置（１６）から第２の挟持装置に対して作用させる工程において、第１の挟持装置（１６）は所定の方向に移動され、これにより寸法合わせ部（２０）の丸みを帯びた表面領域（５８、５９）は、積層板の長手方向において視認されるように第１の挟持装置（１６）及び第２の挟持装置（１７）の間にて積層板（４０）に湾曲部を形成する引張応力作用工程とを含み、
第１の挟持装置及び第２の挟持装置における挾持力は積層（Ｌｉ、Ｌａ）の相互に対する摺動を防止するために十分に大きいことを特徴とするＦＣパリソンの製造方法。
【請求項２】
前記第１の挟持装置（１６）は、積層板（４０）が第１の側面（３４）に区域的に当接するまで第１の挟持装置（１６）に面する寸法合わせ部（２０）の第１の側面（３４）に向かって下方に移動されることを特徴とする請求項１に記載のＦＣパリソンの製造方法。
【請求項３】
前記積層板（４０）の端部区域を第１の挟持装置（１６）に固定するに先立って、第１の端部区域（４４、４５）は端部区域に隣接して位置される領域（４６、４７）に対して角度をなし、これらの領域間に位置される湾曲した領域を形成する形成工程と、前記湾曲部により層（Ｌｉ、Ｌａ）は相互にずれることと、
第１の端部区域の層（Ｌｉ、Ｌａ）は、このずれた配置にて第１の挟持装置（１６）に一体的に挟持される工程とを含むことを特徴とする請求項１又は２に記載のＦＣパリソンの製造方法。
【請求項４】
前記端部区域（４４、４５）は、軸を中心として第１の挟持装置を回動させることにより、端部区域（４４、４５）に隣接して位置される領域に対して角度をなすことと、軸において第１の挟持装置（１６）により保持される積層板（４０）の区域は、その長手方向において、第１の挟持装置（１６）外側且つその前方に位置される領域に対して角度をなすことと、下方の挾持力が設定され、これにより層の回動によって層を相互に対して移動させることができることとを特徴とする請求項３に記載のＦＣパリソンの製造方法。
【請求項５】
別の機械的歯車装置により第１の挟持装置（１６）を移動させる場合に、第１の挟持装置（１６）から見て寸法合わせ部（４０）の別の丸みを帯びた表面領域（５８、５９）を越えて位置される第２の挟持装置は、第１の挟持装置（１６）から見て第１の表面領域を越えて位置される寸法合わせ部（４０）の第２の丸みを帯びた表面領域（５８、５９）を所定の位置まで第１の挟持装置（１６）の運動方向とは反対の方向に運動するように設定されることと、該位置において、第１の挟持装置（１６）から見て第１の表面領域を越えて位置される寸法合わせ部（４０）の第２の丸みを帯びた表面領域（５８、５９）はその長手方向にて視認されるように第１の丸みを帯びた表面領域及び第２の挟持装置（１７）の間にて積層板（４０）に湾曲部を形成することとを特徴とする請求項１乃至４のいずれか一項に記載のＦＣパリソンの製造方法。
【請求項６】
前記第２の挟持装置（１７）の運動は第１の挟持装置（１６）の運動と同時に行われることを特徴とする請求項５に記載のＦＣパリソンの製造方法。
【請求項７】
前記付加的な挟持装置の運動は、積層板（４０）が第２の側面（３５）に区域的に当接するまで第１の側面に対向し第２の挟持装置（１７）に面して位置される寸法合わせ部（４０）の第２の側面（３５）に向かって付加的な挟持装置（１７）の下方への運動を含むことを特徴とする請求項５又は６に記載のＦＣパリソンの製造方法。
【請求項８】
前記積層板（４０）の第２の端部区域（４４、４５）を第２の挟持装置に固定するに先立って、第２の端部区域（４４、４５）は第２の端部区域（４４、４５）に隣接して位置される領域に対して角度をなしこれらの領域間に位置される湾曲した領域を形成する工程と、湾曲部により層は相互にずれることと、
端部区域（４４、４５）の層は、このずれた配置にて第１の挟持装置（１６）に一体的に挟持される工程とを含むことを特徴とする請求項５乃至７のいずれか一項に記載のＦＣパリソンの製造方法。
【請求項９】
前記第２の端部区域（４４、４５）は非常に小さいため、端部区域の層は内側層を湾曲することなく移動することを特徴とする請求項８に記載のＦＣパリソン製造方法。
【請求項１０】
前記第２の端部区域（４４、４５）は、軸を中心として第２の挟持装置（１７）を回動させることにより端部区域（４４、４５）に隣接して位置される領域に対して角度をなすことと、軸において、第２の挟持装置（１７）に保持される積層板（４０）の第２の端部区域（４４、４５）は、その長手方向において、第２の挟持装置（１７）の外側且つその前方に位置される領域に対して角度をなすこととを特徴とする請求項８又は９に記載のＦＣパリソンの製造方法。
【請求項１１】
ＦＣ要素を形成すべく半製品を変形するための製造装置であって、
半製品を形成するための寸法合わせ部を収容する寸法合わせ部保持具と、
積層板（４０）の端部区域（４４、４５）をそれぞれ収容するための第１の保持装置（１４）及び第２の保持装置（１５）と、同第１の保持装置（１４）及び第２の保持装置（１５）はそれぞれ半製品（４０）を固定するための挟持装置（１６、１７）を有することと、
アクチュエータにより駆動され、第１の保持装置が連結される機械的歯車装置とを備え、前記機械的歯車装置は、第１の保持装置（１４）が所定の引張応力（Ｆ）を第２の保持装置（１５）を指向する方向とは反対方向に作用させ、同時に寸法合わせ部保持具に対して運動を行うように設計されることを特徴とする半製品を変形するための製造装置。
【請求項１２】
前記機械的歯車装置は、アクチュエータにより駆動される駆動装置に連結され第１の保持装置（１４）に連結されることと、機械的歯車装置及び駆動装置は、第１の保持装置（１４）が所定の引張応力（Ｆ）を第２の保持装置（１５）を指向する方向とは反対方向に作用させ、同時に寸法合わせ部保持具に対して運動を行うこととを特徴とする請求項１１に記載の製造装置。
【請求項１３】
前記駆動装置は、形成工程において最小限の引張応力（Ｆ）を保持する引張応力（Ｆ）を作用させるバネ構造体に連結されることを特徴とする請求項１２に記載の半製品を変形するための製造装置。
【請求項１４】
前記第２の保持装置（１５）はアクチュエータにより駆動される機械的歯車装置に連結されることと、機械的歯車装置及び駆動装置は、第２の保持装置（１５）が所定の引張応力（Ｆ）を第１の保持装置を指向する方向とは反対方向に作用させ、同時に寸法合わせ部保持具に対して運動を行うように設計されることとを特徴とする請求項１１乃至１３のいずれか一項に記載の半製品を変形するための製造装置。